(57)【要約】【課題】  家の建て替えや増改築に伴って不要となった庭木を伐採処分することなく、園芸を趣味とする同好者に格安の値段で譲り渡すことを可能とする。【解決手段】  適宜の通信手段を介したユーザ１０からの連絡に基づいて、当該ユーザが所有する不要となった庭木１１をデータベース化（２３）し、これをインターネットを介して第三者の閲覧に供する（請求項１）。これにより、趣向に合う庭木を探している者は、樹木の写真と樹木の種類に基づいて、ほぼ間違いのないイメージをもつことが出来る。幹の太さと樹木の高さは必要があるときに表示する。【選択図】    図１
2005084832.tif 000002
【特許請求の範囲】
【請求項１】
適宜の通信手段を介したユーザからの連絡に基づいて、当該ユーザが所有する不要となった庭木の写真を撮影し、
通信回線上に設置したサーバ装置のデータ格納部に、当該庭木に関するデータのうち、少なくとも前記写真と、樹木の種類とを格納し、
通信回線を介した第三者の閲覧要求に基づいて、前記サーバは、庭木データ格納部の庭木データを当該第三者の端末装置に対して送出することを特徴とする庭木の再利用方法。
【請求項２】
適宜の通信手段を介したユーザからの連絡に基づいて、当該ユーザが所有する不要となった庭木を引き取って保管することを特徴とする請求項１記載の庭木の再利用方法。
【発明の詳細な説明】
【技術分野】
【０００１】
本発明は、家の建て替えや増改築に伴って不要となった庭木の取り扱いに係り、とくに処分せざるを得ない庭木を園芸同好者に譲り渡すための再利用の方法に関する。
【背景技術】
【０００２】
個人住宅の庭や公共施設の庭には、多くの庭木（鉢植えや盆栽を含む）が植えられている。これらの庭木は、造園時の経済的負担も少なくないし、爾後の手入れも精魂込めて行われているのが普通である。一般に、庭木いじりが好きな人や造園、園芸に携わる者は樹木に対する愛情が深く、どのような理由であれ、庭木を伐採したり廃棄処分することには抵抗感がある。
【０００３】
しかしながら、例えば家屋の増改築や新築を計画する際には、やむを得ず庭木を処分しなければならないことが数多くある。庭木の持ち主の多くは、庭木には生命もあり個性もあると考えるため、時には、家屋の増改築や新築計画に対し、庭木の存在を理由に反対するケースもある。
【０００４】
一方、庭木いじりが好きな人や造園に携わる者は、庭の景観をさらに改善するため、趣向に合う樹木を捜し求めている。ところが、従来は、新しい庭木を買い求めるには造園業者が商品として用意した樹木を実際にみて、適当なものを購入するしかなかった。その場所に行ってみなければ、好ましい庭木があるかどうかはわからないし、伐採処分される運命の庭木については知る由もなかったわけである。なお、庭木の売買や再利用に関する提案（特許文献）は従来見られない。
【発明の開示】
【発明が解決しようとする課題】
【０００５】
本発明の課題は、家屋の新築計画や増改築計画に伴って手放す必要が生じた庭木を、市場原理に基づいて他の場所に移し替えることを可能とし、旧所有者の心理的な負担を軽減すると同時に、趣向に合う庭木を探し求めている者に、より多くの庭木の情報を提供可能とする点にある。
【課題を解決するための手段】
【０００６】
前記目的を達成するため、本発明は、適宜の通信手段を介したユーザからの連絡に基づいて、当該ユーザが所有する不要となった庭木をデータベース化し、これをインターネットを介して第三者の閲覧に供する（請求項１）。
【０００７】
これにより、趣向に合う庭木を探している者は、樹木の写真と樹木の種類の表示に基づいて、ほぼ間違いのないイメージをもつことが出来る。手放されることになった庭木は、多くの場合において丹念に手入れされたものであり、購入希望者側も多くの場合において樹木の健康状態等を判断する資質があるため、データベース上の確認だけでも当該樹木の各種状態を判別できる。
【０００８】
ただし、最終的には現物を見て判断する必要性も高い。樹木には命もあるし個性もあるから、現物に対面しないと納得できない場合もあるからである。そこで請求項２に記載するように、データベース化とともに、不要となった庭木を引き取って保管することが望ましい（請求項２）。これにより、庭木のデータベースを閲覧した者が、当該庭木を実際に自分の目で確認することが可能となる。
【発明の効果】
【０００９】
本発明に係る庭木の再利用方法によれば、家の建て替えや増改築に伴って不要となった庭木を伐採処分することなく、園芸を趣味とする同好者に格安の値段で譲り渡すことが可能となる。また造園業を営むものにとっても多くの情報交換が可能となる結果、経済的／社会的側面における業界全体の活性化を図ることが可能となる。
【発明を実施するための最良の形態】
【００１０】
図１は、本発明に係る庭木の再利用方法の実施形態を例示する図である。本発明に係る庭木の再利用方法は、庭木１１を手放す必要が生じた所有者（ユーザ）１０からの連絡に基づいて、造園業者等の再利用の促進機関２０が、不要となった庭木１１を引き取る。なお、庭木１１の所有者（ユーザ）からの連絡は、電話、ファクシミリ、インターネット上のメールなど適宜の通信手段を介して行うことが出来る。
【００１１】
引き取りを急がない場合、移動や保管が大がかりになるなど、事情により庭木１１を引き取ることが難しい場合や急いで引き取る必要がない場合は、再利用の促進機関２０は、不要となった庭木１１を現場（旧所有者の庭）において写真撮影する。庭木１１を引き取った場合は、保管場所において写真撮影しても構わない。
【００１２】
次に、再利用の促進機関２０は、通信回線上に設置したサーバ装置２１を利用して、不要となった庭木１１のデータベースを作成する。２３は、第三者に譲渡（移譲）できる庭木１１の各種データを格納した庭木データ格納部であり、ここに、少なくとも、庭木１１の写真２３Ａと、樹木の種類２３Ｂと、幹の太さ２３Ｃを情報を格納する。少なくとも、この三つのデータが表示されていれば庭木いじりの経験をもつ者は庭木１１の状態を判断できる。
【００１３】
もちろん、庭木データ格納部２３には他の付随データ、例えば、庭木１１の高さ、販売価格、果樹の場合は最近（過去数年）の実績、あるいは旧所有者の手入れの状態のコメント、幹の状態を示すＸ線写真（断層写真）などを格納しても良い。これらによって、善し悪しの判断が難しい場合や庭木いじりの経験が浅い者でも、よりリアルな状態把握が可能となるからである。
【００１４】
庭木データ格納部２３に格納されているデータは、第三者の端末装置（携帯電話およびＰＨＳ等の携帯端末を含む）からの閲覧要求に対して常時（または営業時間内）サーバ装置２１を介して送出可能な状態に設定しておく。不要となった庭木１１を市場原理に基づいて他者に譲渡できれば良いので、データには秘密性もなく、だれにでも自由に閲覧可能な状態にしておくことが望ましい。
【００１５】
庭木データ格納部２３に格納されているデータをみた第三者（閲覧した者）は、必要があるときは、再利用の促進機関２０に対して問い合わせを行う。問い合わせの手段は、電話、ファクシミリ、インターネット回線利用のメールなど適宜の通信手段によって行うことが出来る。庭木データ格納部２３のデータ閲覧に供するサーバ装置２１は、そのホームページにおいて、再利用の促進機関２０の住所、地図、電話番号、ファクシミリ番号、いわゆるメールアドレスを表示することが望ましい。住所と地図が示されていれば、第三者（閲覧した者）は庭木１１が保管されている場所に出向いて、自分の目で庭木１１を確認することが出来る。
【００１６】
従って、かかる庭木の再利用方法によれば、さまざまな理由で手放す必要が生じた庭木１１を再利用の促進機関２０に託すことによって、旧所有者側からすれば、それまで丹誠込めて育て鑑賞した庭木１１を無惨に伐採して処分する心理的負担から解放されることになり、趣向に合う庭木を求めている愛好家（第三者）からすれば、質の高いさまざまな種類の庭木１１を豊富に閲覧した上で選択できることになる。旧所有者の庭木１１は、地域特性（気象条件等）や時代の流行などから、現在ではなかなか手に入らないものもあり、経済効率等の理由から造園業者が容易に扱えなかった貴重な珍品も少なくない。
【００１７】
また、造園業者側からみても、不要となった庭木１１に関するさまざまな情報を収集し、愛好家に向けて作成した自由閲覧が可能なデータを提供することによって、造園業全体の活性化を図ることが出来る。不要となった庭木１１のデータ閲覧に起因して、造園に関するさまざまなアイテムや機材に関する需要が発生するからである。例えば、庭石、灯籠、添水（鹿脅し）、盆栽などである。造園に関するこれらのアイテムもまた、愛好家にとっては、たんに金銭を支払って購入する規格化製品よりも、質の高いものや、花、葉、斑などの珍品に関する情報が必要であり、庭木１１に関する問い合わせの中で、庭石、灯籠、添水、盆栽などに関する情報を得る機会となるからであり、造園業者は、より質の高い情報を提供することで顧客との信頼関係を向上させることが出来るからである。
【００１８】
また、様々な事情により庭木１１を手放す際には、金銭的な利益よりも庭木１１を大切に扱ってくれる第三者に譲り渡したいと願う気持ちが優先するため、市場価格よりもはるかに安価な金額での引き取りと譲り渡しとを実現することが出来る。このような再利用方法は従来になかったため、園芸愛好家から再利用の促進機関２０のサーバ装置２１に対して端末装置を介してアクセスし、更新情報を常時チェックするなどの機会が増えるため、通信事業者や広告業者などに対する経済的波及効果も少なくない。
【００１９】
なお、前記説明では幹の太さも表示する旨説明したが、写真を見れば幹の太さは容易に判断できるため必ずしも幹の太さの表示は必要がない。樹木の高さが写真ではわかりにくい場合は、背の高さを表示することが望ましい。
【図面の簡単な説明】
【００２０】
【図１】本発明に係る庭木の再利用方法を例示するブロック図である。
【符号の説明】
【００２１】
１０  所有者（ユーザ）
１１  庭木
２０  （再利用の）促進機関
２１  サーバ装置
２３  庭木データ格納部
２３Ａ  写真データ
２３Ｂ  樹木の種類のデータ
２３Ｃ  幹の太さのデータ
【図１】
2005084832.tif 000003